(57)【要約】【課題】粉粒体材料の噛み込みを抑制して閉鎖状態における排出側の密閉性を向上し得る粉粒体材料の捕集装置を提供する。【解決手段】粉粒体材料の捕集装置１は、吸引源２に接続される吸引口１２及び輸送される粉粒体材料４を受け入れる導入口１４が設けられた捕集器本体１０と、この捕集器本体の下端側の筒状の排出部１６を開閉する弁体２０と、この弁体に一端が固定され該弁体が開閉される際に他端側の支点２７回りに回転される保持アーム２６と、を備えており、前記弁体には、閉鎖状態で前記排出部の下端部との間に粉粒体材料よりも大きな隙間Ｇ１，Ｇ２を設けて該下端部を受け入れる受入凹所２１が上方側に向けて開口するように設けられ、前記排出部の外周側及び前記弁体のうちの一方には、閉鎖状態で他方に設けられたシール受部１９ａに当接されるシール部２４ａが設けられている。【選択図】図１
2019210122.tif 000002
【特許請求の範囲】
【請求項１】
吸引源に接続される吸引口及び輸送される粉粒体材料を受け入れる導入口が設けられた捕集器本体と、この捕集器本体の下端側の筒状の排出部を開閉する弁体と、この弁体に一端が固定され該弁体が開閉される際に他端側の支点回りに回転される保持アームと、を備えており、
前記弁体には、閉鎖状態で前記排出部の下端部との間に粉粒体材料よりも大きな隙間を設けて該下端部を受け入れる受入凹所が上方側に向けて開口するように設けられ、前記排出部の外周側及び前記弁体のうちの一方には、閉鎖状態で他方に設けられたシール受部に当接されるシール部が設けられていることを特徴とする粉粒体材料の捕集装置。
【請求項２】
請求項１において、
前記弁体は、閉鎖状態における上方側に向けて突出するように設けられ前記受入凹所を区画する環状壁部と、この環状壁部の基端部から外周側に向けて鍔状に延出するように設けられ前記シール部を構成する平板状部と、を備えていることを特徴とする粉粒体材料の捕集装置。
【請求項３】
請求項１において、
前記弁体は、閉鎖状態における上方側に向けて突出するように設けられ前記受入凹所を区画する環状壁部と、この環状壁部の外周側において該環状壁部を囲むように、かつ閉鎖状態における上方側に向けて突出するように設けられ前記シール部を構成する環状シール壁部と、を備え、該環状シール壁部の突出寸法は、前記環状壁部の突出寸法よりも小とされていることを特徴とする粉粒体材料の捕集装置。
【請求項４】
請求項１乃至３のいずれか１項において、
前記受入凹所の弁体開放状態における下方側に位置する内周面は、該受入凹所の底面から開口側に向かうに従い拡開状に傾斜する傾斜面とされていることを特徴とする粉粒体材料の捕集装置。
【請求項５】
請求項１乃至４のいずれか１項において、
前記受入凹所を区画するように前記弁体に設けられた環状壁部の弁体開放状態における上方側に位置する外周面は、該環状壁部の基端側よりも先端側が中心側となるように傾斜する傾斜面とされていることを特徴とする粉粒体材料の捕集装置。
【発明の詳細な説明】
【技術分野】
【０００１】
本発明は、輸送される粉粒体材料を捕集する粉粒体材料の捕集装置に関する。
【背景技術】
【０００２】
従来より、吸引源に接続される吸引口及び輸送される粉粒体材料を受け入れる導入口を設け、輸送された粉粒体材料を捕集する捕集器を備えた粉粒体材料の捕集装置が知られている。このような捕集装置においては、捕集器の下端に設けられた排出管の開口が開放された状態では、粉粒体材料の輸送が成され難くなるため、排出管の開口を開閉するダンパー（弁体）が設けられている。このようなダンパーとしては、エアーシリンダー等の適宜の駆動機構によってスライドされるスライドダンパー等が挙げられるが、このようなものでは、構造的にも制御的にも複雑化し、また、粉粒体材料の噛み込み等に起因する動作不良が生じ易くなるという問題があった。
例えば、下記特許文献１には、本体収容部の下部の材料排出口を開閉する蓋体を、材料排出口との間に所定の隙間空間を隔てて待機位置において保持する構成とされた吸引式粉粒体捕集器が開示されている。この捕集器においては、気体吸引装置による吸引力によって蓋体が吸い上げられ、材料排出口を塞ぐ構成とされている。
【先行技術文献】
【特許文献】
【０００３】
【特許文献１】特開２００５−１７８９６５号公報
【発明の概要】
【発明が解決しようとする課題】
【０００４】
上記構成とされた捕集器においては、材料排出口の周縁部や蓋体の上面に粉粒体材料が付着していても蓋体を吸い上げる際に吸引がなされるので、噛み込みの低減が可能となる。しかしながら、静電気等によって上記のような箇所に付着した粉粒体材料が蓋体吸い上げの際に十分に吸引されずに残存したり、蓋体が閉鎖される際に本体収容部内に付着していた粉粒体材料が落下したりして材料排出口と蓋体との間に粉粒体材料を噛み込むことが考えられた。
【０００５】
本発明は、上記実情に鑑みてなされたものであり、粉粒体材料の噛み込みを抑制して閉鎖状態における排出側の密閉性を向上し得る粉粒体材料の捕集装置を提供することを目的としている。
【課題を解決するための手段】
【０００６】
前記目的を達成するために、本発明に係る粉粒体材料の捕集装置は、吸引源に接続される吸引口及び輸送される粉粒体材料を受け入れる導入口が設けられた捕集器本体と、この捕集器本体の下端側の筒状の排出部を開閉する弁体と、この弁体に一端が固定され該弁体が開閉される際に他端側の支点回りに回転される保持アームと、を備えており、前記弁体には、閉鎖状態で前記排出部の下端部との間に粉粒体材料よりも大きな隙間を設けて該下端部を受け入れる受入凹所が上方側に向けて開口するように設けられ、前記排出部の外周側及び前記弁体のうちの一方には、閉鎖状態で他方に設けられたシール受部に当接されるシール部が設けられていることを特徴とする。
【発明の効果】
【０００７】
本発明に係る粉粒体材料の捕集装置は、上述のような構成としたことで、粉粒体材料の噛み込みを抑制して閉鎖状態における排出側の密閉性を向上させることができる。
【図面の簡単な説明】
【０００８】
【図１】本発明の一実施形態に係る粉粒体材料の捕集装置の一例を模式的に示す一部破断概略正面図である。
【図２】同捕集装置の一部破断概略正面図である。
【図３】同捕集装置の一部破断概略正面図である。
【図４】（ａ）、（ｂ）は、本発明の他の実施形態に係る粉粒体材料の捕集装置の一例を模式的に示す一部破断概略正面図である。
【図５】（ａ）、（ｂ）は、本発明の他の実施形態に係る粉粒体材料の捕集装置の一例を模式的に示す一部破断概略正面図である。
【発明を実施するための形態】
【０００９】
以下に、本発明の実施の形態について、図面を参照しながら説明する。
なお、以下の各実施形態では、各実施形態に係る粉粒体材料の捕集装置を設置した状態を基準として上下方向等の方向を説明する。
図１〜図３は、第１実施形態に係る粉粒体材料の捕集装置の一例を模式的に示す図である。
【００１０】
本実施形態に係る粉粒体材料の捕集装置１は、図１〜図３に示すように、吸引源２に接続される吸引口１２及び輸送される粉粒体材料４を受け入れる導入口１４が設けられた捕集器本体１０と、この捕集器本体１０の下端側の筒状の排出部１６を開閉する弁体２０と、を備えている。この捕集装置１は、吸引源２及び粉粒体材料４の輸送元（材料元）３に接続され、吸引空気によって空気輸送される輸送元３からの粉粒体材料４を吸引空気から分離させて捕集する構成とされている。
【００１１】
ここに、粉粒体材料４は、粉体・粒体状の材料を指すが、空気輸送可能なものであれば、どのような形状のものでもよい。図例では、粉粒体材料４を、略球状のものとした例を示しているが、略柱状や略立方体状、多面体状、薄片状、短繊維片状等、どのようなものでもよい。また、図例では、全ての粉粒体材料４を、同寸同形状としたような例を示しているが、このような態様に限られない。形状や大きさにばらつきがある粉粒体材料４でもよい。また、粉粒体材料４の大きさは、１０ｍｍ以下でもよく、５ｍｍ以下でもよく、３ｍｍ以下でもよい。なお、粉粒体材料４の大きさ（粉粒体材料４一粒（粒子）の大きさ）は、ばらつきがある場合は最大のものの大きさを指し、また、略球状である場合は径、球状以外の場合は最長部の寸法を指す。
また、粉粒体材料４としては、樹脂ペレットや樹脂繊維片等の合成樹脂材料、金属材料、半導体材料、木質材料、薬品材料、食品材料等どのようなものでもよい。また、粉粒体材料４としては、例えば、合成樹脂成形品を成形する場合には、ナチュラル材（バージン材）や粉砕材、マスターバッチ材、各種添加材等が挙げられる。また、ガラス繊維や炭素繊維等の強化繊維を含んだ構成としてもよい。
【００１２】
吸引源２としては、空気吸引管を介して接続される吸引ブロワー等の空気吸引源であってもよい。このような吸引源２としては、当該捕集装置１専用のものに限られず、例えば、当該捕集装置１への輸送と他の装置への輸送とが切替弁等によって切り替えられる態様とされたものとしてもよい。
輸送元３としては、材料輸送管を介して接続される材料タンクや、乾燥ホッパー、粉粒体材料を計量する計量ホッパー、複数種の粉粒体材料４を所定割合で配合する配合ホッパー等であってもよい。また、これら各種ホッパーの下流側に設けられる一時貯留部を輸送元３としてもよい。また、当該捕集装置１に接続される材料輸送管を、単一の輸送元３に接続して単一の粉粒体材料４を当該供給装置１において捕集する態様に限られない。例えば、相異なる粉粒体材料４をそれぞれに貯留する複数の輸送元３に当該捕集装置１に接続される材料輸送管を接続し、これら複数の輸送元３からの複数種の粉粒体材料４を当該捕集装置１において捕集する態様としてもよい。
【００１３】
また、当該捕集装置１の供給先としては、当該捕集装置１において捕集した粉粒体材料４を一時的に貯留する貯留タンクや貯留ホッパー等の貯留部を供給先としてもよく、また、粉粒体材料４を乾燥する乾燥ホッパーを供給先としてもよい。また、例えば、射出成形機等の成形機を当該捕集装置１の供給先としてもよい。この場合は、当該捕集装置１を、成形機上に直接的に設置する態様としてもよい。なお、供給先としての成形機は、合成樹脂成形品を成形する射出成形機に限られず、他の材料用の射出成形機としてもよく、または種々の材料用の押出成形機や圧縮成形機等の他の成形機を供給先とする態様としてもよい。また、当該捕集装置１において捕集された粉粒体材料４の供給先としては、単一の供給先に限られず、複数の供給先としてもよい。
【００１４】
捕集器本体１０は、上部側部位が略筒形状とされ、下部側部位が略逆錐形状とされたホッパー状とされている。この捕集器本体１０は、略円筒状とされたものでもよく、略角筒状とされたものでもよい。なお、捕集器本体１０としては、ホッパー状とされたものに限られず、タンク状やドラム状とされたものでもよい。また、捕集器本体１０としては、上端部に設けられた捕集部よりも大容量の本体部を捕集部の下方側に設けたような構成とされたものでもよい。
この捕集器本体１０には、捕集器本体１０内において開口する吸引口１２を構成する吸引接続管１１と導入口１４を構成する材料導入管１３とが設けられている。図例では、吸引源２に接続される吸引接続管１１を、捕集器本体１０の上端部に開閉自在に設けられた蓋体に設けた例を示している。また、捕集器本体１０の上端側部位の側部に、輸送元３に接続される材料導入管１３を設けた構成としている。なお、このような態様に代えて、捕集器本体１０内の上下方向途中部位や下端部等に位置するように導入口１４を設け、吸引口１２を上端部に設けて粉粒体材料４を流動可能とした態様等としてもよい。この場合は、材料導入管１３が捕集器本体１０内に差し入れられたような構成とされたものでもよい。吸引口１２及び導入口１４の位置や形状等は、その他、種々の変形が可能である。
【００１５】
また、捕集器本体１０には、吸引口１２に向かう輸送空気から粉粒体材料４を分離させる分離部１５が設けられている。このような分離部１５としては、粉粒体材料４と輸送空気とを分離可能なものであればどのようなものでもよいが、輸送空気に加えて粉塵を通過させる一方、原料となる粉粒体材料４の通過を阻止するパンチングメタルや網状（メッシュ状）の多孔板状体等からなるものとしてもよい。例えば、このような分離部１５を、捕集器本体１０の蓋体によって開閉される上方開口を覆うように設けた構成等としてもよい。また、分離部１５を、このような多孔板状体からなるものとした態様に代えて、捕集器本体１０の内周面との間に隙間を隔てて設けられる邪魔傘状とされたものとしてもよい。その他、種々の構成とされた分離部１５の採用が可能である。また、このような分離部１５を設けずに、いわゆるサイクロン式にて輸送空気から粉粒体材料４を分離させる構造とされたものとしてもよい。
【００１６】
排出部１６は、捕集器本体１０の略逆錐形状とされた部位の下端側に設けられている。この排出部１６は、本実施形態では、軸方向を上下方向に沿わせた筒状とされている。この排出部１６は、略円筒状とされたものでもよく、略角筒状とされたものでもよい。また、この排出部１６の下方側に向けて開口する排出口を構成する開口１７の開口端面となる下端面は、略真下方向に向く平坦面状とされている。なお、このような態様に代えて、排出部１６の下端面を、斜め下方側に向く傾斜面状とされたものとしてもよい。
また、本実施形態では、捕集器本体１０に、当該捕集装置１の設置対象に固定されるベース部１８を設けた構成としている。図例では、捕集器本体１０の排出部１６の上端部を囲むように、厚さ方向を上下方向に沿わせた平板状のベース部１８を設けた構成としている。
【００１７】
また、捕集装置１は、弁体２０に一端が固定され弁体２０が開閉される際に他端側の支点（アーム軸）２７回りに回転される保持アーム２６を備えている。
この保持アーム２６は、一端が弁体２０の閉鎖状態における下面側に固定され、弁体２０の閉鎖状態において概ね水平方向に延びるように設けられている。また、この保持アーム２６の支点となるアーム軸２７は、排出部１６の外周側（径方向外側）において軸方向を略水平方向に沿わせるように設けられている。図例では、保持アーム２６の長手方向両端側部位に、弁体２０側及びアーム軸２７側に向けて屈曲された屈曲部を設けた例を示しているが、このような態様に限られない。
【００１８】
この保持アーム２６がアーム軸２７回りに回転されれば、アーム軸２７を円心とする円弧を描くように弁体２０が移動し、排出部１６の開閉がなされる。この保持アーム２６は、電動や空圧、油圧等の各種シリンダや、モーター等の電動機等の適宜の駆動装置によって回転されるものでもよいが、本実施形態では、このような駆動装置を設けていない構成としている。本実施形態では、保持アーム２６は、弁体２０を開放させる側には弁体２０に負荷される粉粒体材料４の荷重によって回転される一方、弁体２０を閉鎖させる側には閉鎖機構２９によって回転される構成とされている。また、閉鎖機構２９を、一端がアーム軸２７に固定的に設けられた錘側アーム２８の他端に設けられた錘とした例を示している。また、閉鎖機構２９は、本実施形態では、吸引源２が駆動されていない状態において弁体２０を閉鎖状態に位置付ける構成とされている。つまり、アーム軸２７よりも閉鎖機構２９を構成する錘側の荷重を、アーム軸２７よりも弁体２０側の荷重よりも大としている。この錘側の荷重は、図３に示すように、粉粒体材料４の荷重によって弁体２０が開放位置となるように適宜の荷重としてもよい。
【００１９】
なお、閉鎖機構２９としては、上記のような構成とされたものに限られず、弁体２０への負荷（吸引源２の駆動による吸引作用または粉粒体材料４の荷重）が除荷された状態で、後記するシール受部１９ａとシール部２４ａとの間に僅かな隙間を設けた待機位置において弁体２０の保持が可能な構成とされたものでもよい。例えば、アーム軸２７よりも弁体２０側の荷重とアーム軸２７よりも閉鎖機構２９を構成する錘側の荷重とが釣り合う構成とされたものでもよい。この場合は、吸引源２の駆動による吸引作用によって弁体２０が吸い上げられて閉鎖位置とされるものでもよい。また、閉鎖機構２９としては、錘に限られず、ばね等でもよい。
また、保持アーム２６を回転させる態様としては、上記のような態様に代えて、弁体２０を開放させる側への回転及び閉鎖させる側への回転の両方または一方が上記のような駆動装置によってなされるものでもよい。また、閉鎖側に回転させる駆動装置を設けた場合には、後記する弁体２０を粉粒体材料４の荷重に抗して閉鎖位置（待機位置）において維持可能な構成としてもよい。つまりは、捕集器本体１０内に粉粒体材料４の貯留が可能な構成としてもよい。
【００２０】
弁体２０には、閉鎖状態で排出部１６の下端部との間に粉粒体材料４（粉粒体材料４一粒（粒子）の大きさ）よりも大きな隙間Ｇ１，Ｇ２を設けて下端部を受け入れる受入凹所２１が上方側に向けて開口するように設けられている。また、排出部１６の外周側及び弁体２０のうちの一方には、閉鎖状態で他方に設けられたシール受部１９ａに当接されるシール部２４ａが設けられている。
受入凹所２１は、閉鎖状態で排出部１６の下端面と平行状に配される底面を区画する底壁部２２と、この底壁部２２の周縁部から閉鎖状態における上方側に向けて突出するように設けられた環状壁部２３と、によって区画されている。この受入凹所２１は、閉鎖状態で、排出部１６の下端面と底壁部２２の上面（受入凹所２１の底面）との間に隙間Ｇ１が形成され、排出部１６の外周面と環状壁部２３の内周面（受入凹所２１の内周面）との間に隙間Ｇ２が形成されるように設けられている。
この受入凹所２１は、開口方向（閉鎖状態における上下方向）に見た形状（内周形状）が排出部１６の開口方向に見た外郭形状に応じた形状とされたものでもよい。つまり、受入凹所２１の開口方向に見た形状と排出部１６の開口方向に見た外郭形状とを概ね相似形状としてもよい。また、受入凹所２１は、閉鎖状態で開口方向に見て（平面視して）排出部１６と同軸状（同心状）に設けられるものでもよい。
【００２１】
この受入凹所２１の深さや径、受入凹所２１に差し入れられる排出部１６の下端部の上下方向に沿う寸法、隙間Ｇ１，Ｇ２は、図２に示すように、弁体２０を閉鎖させた状態で、粉粒体材料４が環状壁部２３を乗り越えないように適宜の寸法としてもよい。また、隙間Ｇ１，Ｇ２は、上記した粉粒体材料４の大きさ（粉粒体材料４一粒（粒子）の大きさ）よりも大であればよいが、大きくし過ぎれば、弁体２０が大型化する傾向や受入凹所２１が深くなる傾向があることから、粉粒体材料４の大きさの１．１倍〜５倍程度でもよく、３倍以下でもよい。また、図例では、排出部１６の下端面と底壁部２２の上面（受入凹所２１の底面）との間に形成される隙間Ｇ１と排出部１６の外周面と環状壁部２３の内周面（受入凹所２１の内周面）との間に形成される隙間Ｇ２とを略同寸法とした例を示しているが、異なる寸法としてもよい。また、排出部１６の外周面と環状壁部２３の内周面（受入凹所２１の内周面）との間に形成される隙間Ｇ２は、全周に亘って概ね同寸法とされたものでもよく、周方向で異なる寸法とされた部位があってもよい。
【００２２】
底壁部２２は、閉鎖状態において上下方向に厚さ方向を沿わせて配される平板状とされている。環状壁部２３は、本実施形態では、外周面及び内周面を底壁部２２に対して略垂直状に設けた構成とされている。また、この環状壁部２３の突出寸法は、全周に亘って同寸法とされている。
また、本実施形態では、受入凹所２１を区画する環状壁部２３の基端部から外周側に向けて鍔状に延出するように設けられシール部２４ａを構成する平板状部２４を設けた構成としている。平板状部２４は、閉鎖状態において上方側に向く面がシール部２４ａを構成し、かつ全体に亘って平坦面状とされている。図例では、受入凹所２１の底側を区画する底壁部２２と平板状部２４とを、一連状に平板状に設けた例を示している。つまり、図例では、受入凹所２１の底面とシール部２４ａとを同一平面状とした例を示しているが、このような態様に限られない。また、これら一連状とされた底壁部２２及び平板状部２４に別体とされた環状壁部２３を接合したような構成とした例を示しているが、環状壁部２３も含んで一体的とされたものでもよく、または、一体的に設けられた底壁部２２及び環状壁部２３に対して別体の平板状部２４が接合されたものでもよい。
【００２３】
シール受部１９ａは、排出部１６の外周側に設けられている。本実施形態では、排出部１６の外周側において排出部１６を囲むように、かつ下方側に向けて突出するように設けられた受壁部１９の先端面（下端面）をシール受部１９ａとしている。
この受壁部１９の平面視した形状は、閉鎖状態の弁体２０の平面視した形状に応じた形状とされたものでもよい。また、この受壁部１９は、排出部１６と概ね同軸状に設けられたものでもよい。図例では、受壁部１９を、捕集器本体１０の下端側部位に設けられたベース部１８の下面から下方側に向けて突出させるように設け、筒状とした例を示している。つまり、ベース部１８の下面側に、排出部１６と受壁部１９とを有した二重筒状部を設けた構成としている。
【００２４】
また、シール受部１９ａは、下方側を向き、全体に亘って平坦面状とされている。上記した弁体２０が閉鎖状態とされれば、このシール受部１９ａに、弁体２０の平板状部２４のシール部２４ａが全周に亘って当接され、排出部１６の開口１７がその下流側（下方側）と略気密的に封止される。図例では、弁体２０を閉鎖させた状態で、平板状部２４の外周端部のシール部２４ａがシール受部１９ａに当接される構成とした例を示している。また、図例では、受入凹所２１の底面とシール部２４ａとを同一平面状としているので、排出部１６の下端面よりもシール受部１９ａを隙間Ｇ１に応じて下方側に位置させた例を示している。なお、受壁部１９の内径は、小型化を図る観点や開閉時における弁体２０（環状壁部２３）との干渉を抑制する観点等から適宜の寸法としてもよい。
また、捕集器本体１０の少なくとも排出部１６や受壁部１９、弁体２０の粉粒体材料４が付着する可能性がある部位に帯電防止剤等を塗布したり、これらの部位を帯電防止性を有した材料から形成されたものとしてもよい。
【００２５】
上記構成とされた捕集装置１においては、例えば、以下のようにして粉粒体材料４の捕集と排出とがなされる。
図１に示すように、吸引源２（図２参照）が停止され、捕集器本体１０内に粉粒体材料４が捕集されていない状態では、弁体２０が待機位置とされる。つまり、この状態では、弁体２０には、吸引源２による吸引力及び粉粒体材料４の荷重が作用していない。また、本実施形態では、弁体２０は、この待機位置において弁体２０のシール部２４ａが捕集器本体１０側のシール受部１９ａに当接され、閉鎖位置と同位置とされる。
【００２６】
図２に示すように、吸引源２が駆動されれば、弁体２０のシール部２４ａと排出部１６の外周側のシール受部１９ａとの当接によって排出部１６の開口１７がその下流側（下方側）と略気密的に封止されているので、捕集器本体１０内が負圧となり、輸送元３から粉粒体材料４が空気輸送され、当該捕集装置１において捕集される。なお、上記のように待機位置においてシール部２４ａとシール受部１９ａとの間に隙間が形成される場合には、吸引源２の駆動による吸引力によって弁体２０が吸い上げられて閉鎖位置とされるものでもよい。
また、図２に示すように、捕集器本体１０内に捕集されて下端側に落下（流下）した粉粒体材料４は、弁体２０の受入凹所２１を区画する環状壁部２３によって堰き止められて外周側、つまり、平板状部２４側への漏出が抑制される。つまり、排出部１６の下端部と閉鎖状態においてこれを受け入れる受入凹所２１とが粉粒体材料４の漏出を抑制するシャッター部として機能する。
【００２７】
そして、例えば、所定の輸送時間が経過すれば、吸引源２を停止させる。これにより、閉鎖位置とされた弁体２０には、落下する粉粒体材料４の荷重が作用し、図３に示すように、落下する粉粒体材料４によって弁体２０が押し退けられるようにしてアーム軸２７回りに回転して開放位置とされ、開口１７が開放される。
また、捕集器本体１０内の粉粒体材料４が排出されれば、弁体２０が待機位置（閉鎖位置）とされる。つまり、閉鎖機構２９によって弁体２０が閉鎖側に回転され、図１に示すように、待機位置（閉鎖位置）とされる。
なお、当該捕集装置１の供給先側の材料要求信号を受信し、吸引源２等を駆動制御する制御部を適所に設けた構成としてもよい。また、吸引源２の駆動制御や弁体２０の開閉制御態様は、上記したような例に限られず、その他、種々の変形が可能である。
【００２８】
本実施形態に係る粉粒体材料の捕集装置１は、上述のような構成としたことで、粉粒体材料４の噛み込みを抑制して閉鎖状態における排出側の密閉性を向上させることができる。
つまり、吸引源２に接続される吸引口１２及び輸送される粉粒体材料４を受け入れる導入口１４が設けられた捕集器本体１０の下端側の排出部１６を開閉する弁体２０を備えた構成としている。従って、上記のように、吸引源２を作動させ、弁体２０を閉鎖すれば、捕集器本体１０内が負圧となり、吸引作用によって空気輸送された粉粒体材料４を捕集することができる。
また、弁体２０に、閉鎖状態で排出部１６の下端部との間に粉粒体材料４よりも大きな隙間Ｇ１，Ｇ２を設けて下端部を受け入れる受入凹所２１を上方側に向けて開口するように設けた構成としている。従って、閉鎖状態では、受入凹所２１の内面（底面及び内周面）と排出部１６の下端部の外面（下端面及び外周面）との間に形成される隙間Ｇ１，Ｇ２によって粉粒体材料４の噛み込みを効果的に抑制することができる。
【００２９】
また、閉鎖させる際に受入凹所２１の内面や排出部１６の下端部に粉粒体材料４が付着していたり、捕集器本体１０内の内周面に付着していた粉粒体材料４が落下したりしたとしても、上記の隙間Ｇ１，Ｇ２によって粉粒体材料４の噛み込みを効果的に抑制することができる。また、排出部１６の外周側及び弁体２０のうちの一方に、閉鎖状態で他方に設けられたシール受部１９ａに当接されるシール部２４ａを設けた構成としている。従って、シール受部１９ａにシール部２４ａを当接させることで、排出側を略気密的に封止することができる。換言すれば、閉鎖状態において粉粒体材料４の漏出を抑制するシャッター部（排出部１６の下端部及び受入凹所２１）と略気密的に封止するシール部（シール受部１９ａ及びシール部２４ａ）とを別部位に設けた構成となり、粉粒体材料４の噛み込みの抑制が可能でありながらも、排出側の密閉性を向上させることができる。
また、これらシール受部１９ａ及びシール部２４ａは、閉鎖状態において排出部１６の外周側に離間して設けられることとなるので、これらの部位における粉粒体材料４の付着を低減することができる。
【００３０】
また、本実施形態では、弁体２０に、受入凹所２１を区画する環状壁部２３の基端部から外周側に向けて鍔状に延出し、シール部２４ａを構成する平板状部２４を設けた構成としている。従って、例えば、受入凹所２１の開口周縁部から外周側に向けて延出する平板状部位をシール部として設けたものや環状壁部２３の外周側に突出する環状シール壁部をシール部として設けたものと比べて、弁体２０を開放させて粉粒体材料４を排出させる際におけるシール部２４ａへの粉粒体材料４の接触や引っ掛かりを抑制することができる。
【００３１】
なお、本実施形態では、排出部１６の軸方向を上下方向に沿わせた例を示しているが、傾斜状とされたものでもよい。この場合は、弁体２０が閉鎖状態において傾斜状に配されるものとしてもよい。
また、本実施形態では、排出部１６の下端面を、軸方向に略直交する面とした例を示しているが、軸方向に対して傾斜する傾斜面としてもよい。この場合は、弁体２０の受入凹所２１の底面を、閉鎖状態で排出部１６の下端面に平行状となるように設けた構成としてもよい。また、この場合は、弁体２０の環状壁部２３や受壁部１９等を必要に応じて変形するようにしてもよい。
【００３２】
次に、本発明に係る粉粒体材料の捕集装置の他の実施の形態について、図面を参照しながら説明する。
なお、以下の各実施形態では、先に説明した実施形態との相違点について主に説明し、同様の構成については、同一符号を付し、その説明を省略または簡略に説明する。また、先に説明した実施形態と同様の動作や作用等についても説明を省略または簡略に説明する。
【００３３】
図４（ａ）は、第２実施形態に係る粉粒体材料の捕集装置１Ａの一例を模式的に示す図である。
本実施形態に係る捕集装置１Ａは、弁体２０Ａの構成が上記第１実施形態とは主に異なる。また、本実施形態では、捕集器本体１０の排出部１６Ａの上下方向に沿う寸法を、上記第１実施形態よりも短い寸法としている。また、本実施形態では、ベース部１８Ａに一体的に受壁部１９Ａを設け、この受壁部１９Ａの下端部から外周側に向けて平板状に延出された部位の下面をシール受部１９ａとした例を示している。
【００３４】
弁体２０Ａには、本実施形態では、環状壁部２３Ａの外周側において環状壁部２３Ａを囲むように、かつ閉鎖状態における上方側に向けて突出しシール部２５ａを構成する環状シール壁部２５が設けられている。また、この環状シール壁部２５の突出寸法を環状壁部２３Ａの突出寸法よりも小としている。このような構成とすれば、環状シール壁部２５を設けながらも、弁体２０Ａを開放させて粉粒体材料４を排出させる際における環状シール壁部２５への粉粒体材料４の接触を抑制することができる。なお、このような態様に代えて、環状シール壁部２５の突出寸法を、環状壁部２３Ａの突出寸法よりも大としてもよい。例えば、上記第１実施形態において説明した受壁部１９を、ベース部１８側ではなく弁体２０側に設けたような態様等としてもよい。
また、本実施形態では、環状壁部２３Ａの基端部から外周側に向けて鍔状に延出するように設けられた平板状部２４Ａの外周側端部に環状シール壁部２５を設けた構成としている。この環状シール壁部２５の突出方向先端面となる閉鎖状態で上方側に向く面がシール部２５ａを構成する。また、このシール部２５ａは、閉鎖状態において受入凹所２１Ａの底面よりも上方側に位置する構成とされている。
【００３５】
また、本実施形態では、弁体２０Ａの環状壁部２３Ａの弁体開放状態における上方側に位置する外周面を、環状壁部２３Ａの基端側よりも先端側が中心側となるように傾斜する傾斜面（外周傾斜面）２３ａとしている。つまり、環状壁部２３Ａの弁体開放状態における上方側に位置する外周面を、閉鎖状態において外周側に向けて下るように傾斜する外周傾斜面２３ａとしている。このような構成とすれば、弁体２０Ａを開放させて粉粒体材料４を排出させる際に、環状壁部２３Ａの上方側に位置する外周傾斜面２３ａに粉粒体材料４を引っ掛かり難くすることができる。
また、本実施形態では、受入凹所２１Ａの弁体開放状態における下方側に位置する内周面を、受入凹所２１Ａの底面から開口側に向かうに従い拡開状に傾斜する傾斜面（内周傾斜面）２３ｂとしている。つまり、受入凹所２１Ａの弁体開放状態における下方側に位置する内周面を、閉鎖状態において弁体中心側（環状壁部２３Ａの軸心側）に向けて下るように傾斜する内周傾斜面２３ｂとしている。このような構成とすれば、弁体２０Ａを開放させて粉粒体材料４を排出させる際に、受入凹所２１Ａの下方側に位置する内周面を構成する内周傾斜面２３ｂに粉粒体材料４を引っ掛かり難くすることができる。
【００３６】
これら外周傾斜面２３ａ及び内周傾斜面２３ｂの傾斜角度は、弁体開放状態において環状壁部２３Ａの基端側から先端側に向けて下る下り坂状となるように適宜の角度としてもよい。
また、本実施形態では、受入凹所２１Ａの環状壁部２３Ａの軸方向を、底壁部２２Ａに対して傾斜状に設けて上記の外周傾斜面２３ａ及び内周傾斜面２３ｂを設けた構成としている。つまり、環状壁部２３Ａの弁体開放状態における上方側に位置する部位及び弁体開放状態における下方側に位置する部位を、基端部から先端側に向かうに従いアーム軸２７から離間するように傾斜する形状としている。なお、このような構成とした場合には、排出部１６Ａの外周面と環状壁部２３Ａの内周面との隙間Ｇ２が上下方向の全体に亘って均等な隙間とならないが、上下方向において最も小さい隙間Ｇ２を、粉粒体材料４よりも大としてもよい。
本実施形態に係る粉粒体材料の捕集装置１Ａにおいても、上記した第１実施形態と概ね同様の効果を奏する。また、当該捕集装置１Ａにおいても、上記第１実施形態と同様にして弁体２０Ａの開閉がなされる。
【００３７】
図４（ｂ）は、第３実施形態に係る粉粒体材料の捕集装置１Ｂの一例を模式的に示す図である。
本実施形態に係る捕集装置１Ｂは、弁体２０Ｂの構成が上記各実施形態とは主に異なる。また、本実施形態では、上記第２実施形態と同様、排出部１６Ａの上下方向に沿う寸法を、上記第１実施形態よりも短い寸法とし、ベース部１８Ａに一体的に受壁部１９Ａを設け、この受壁部１９Ａの下端部の延出された部位の下面をシール受部１９ａとした例を示している。
【００３８】
弁体２０Ｂは、本実施形態では、受入凹所２１Ｂを区画する底壁部２２Ｂに環状壁部２３Ｂを一体的に設けた構成としている。また、平板状部２４Ｂを環状壁部２３Ｂの基端部に一体的に設けた構成としている。また、本実施形態では、上記第１実施形態と概ね同様、平板状部２４Ｂのシール部２４ａがシール受部１９ａに当接される構成としている。また、このシール部２４ａは、上記第２実施形態と概ね同様、閉鎖状態において受入凹所２１Ｂの底面よりも上方側に位置する構成とされている。
このような弁体２０Ｂは、図例のように、絞り加工等によって形成されたものに限られず、鋳造成形や射出成形等によって成形されたものでもよい。なお、弁体２０Ｂの底壁部２２Ｂ、環状壁部２３Ｂ及び平板状部２４Ｂを一体的に設けた態様に代えて、これらのうちの少なくとも一つが別体とされて接合されたものでもよい。
また、本実施形態では、環状壁部２３Ｂの外周面を全周に亘って、閉鎖状態において外周側に向けて下るように傾斜する外周傾斜面２３ａとしている。また、環状壁部２３Ｂ（受入凹所２１Ｂ）の内周面を全周に亘って、閉鎖状態において弁体中心側（環状壁部２３Ｂの軸心側）に向けて下るように傾斜する内周傾斜面２３ｂとしている。つまり、本実施形態では、環状壁部２３Ｂは、周方向に見て、両側面が先端側に向かうに従い先細状、つまりは、山形状とされている。
【００３９】
なお、図例では、外周傾斜面２３ａ及び内周傾斜面２３ｂの傾斜角度を上記第２実施形態よりも急角度とした例を示しているが、緩やかな角度としてもよい。また、環状壁部２３Ｂ（受入凹所２１Ｂ）の内周面を全周に亘って、図例とは逆側に傾斜させた構成としてもよい。つまりは、環状壁部２３Ｂを、先端側（受入凹所２１Ｂの開口側）に向かうに従い先細状（縮径状）としてもよい。
本実施形態に係る粉粒体材料の捕集装置１Ｂにおいても、上記した実施形態と概ね同様の効果を奏する。また、当該捕集装置１Ｂにおいても、上記第１実施形態と同様にして弁体２０Ｂの開閉がなされる。
【００４０】
図５（ａ）は、第４実施形態に係る粉粒体材料の捕集装置１Ｃの一例を模式的に示す図である。
本実施形態に係る捕集装置１Ｃは、弁体２０Ｃの構成が上記各実施形態とは主に異なる。また、本実施形態では、上記第２実施形態と同様、排出部１６Ａの上下方向に沿う寸法を、上記第１実施形態よりも短い寸法とし、ベース部１８Ａに一体的に受壁部１９Ｂを設け、この受壁部１９Ｂの下端部の延出された部位の下面をシール受部１９ａとした例を示している。また、図例では、受壁部１９Ｂの上下方向に沿う寸法を上記第２実施形態及び第３実施形態よりも小さい寸法とした例を示している。また、本実施形態では、このシール受部１９ａは、排出部１６Ａの下端面よりも上方側に位置する構成とされている。
【００４１】
弁体２０Ｃは、本実施形態では、受入凹所２１Ｃを区画する底壁部２２Ｃに環状壁部２３Ｃを一体的に設けた構成としている。また、本実施形態では、環状壁部２３Ｃの先端部から外周側に向けて鍔状に延出する平板状部２４Ｃを環状壁部２３Ｃに一体的に設けた構成としている。つまり、本実施形態では、環状壁部２３Ｃの基端側ではなく、先端側に平板状部２４Ｃを設けた構成としている。また、この平板状部２４Ｃのシール部２４ａがシール受部１９ａに当接される構成としている。つまり、本実施形態においても、シール部２４ａは、閉鎖状態において受入凹所２１Ｃの底面よりも上方側に位置する構成とされている。
【００４２】
上記のような弁体２０Ｃは、上記同様、絞り加工等によって形成されたものに限られず、鋳造成形や射出成形等によって成形されたものでもよい。なお、弁体２０Ｃの底壁部２２Ｃ、環状壁部２３Ｃ及び平板状部２４Ｃを一体的に設けた態様に代えて、これらのうちの少なくとも一つが別体とされて接合されたものでもよい。
また、本実施形態においても、環状壁部２３Ｃ（受入凹所２１Ｃ）の内周面を全周に亘って、閉鎖状態において弁体中心側（環状壁部２３Ｃの軸心側）に向けて下るように傾斜する内周傾斜面２３ｂとしている。
本実施形態に係る粉粒体材料の捕集装置１Ｃにおいても、上記した実施形態と概ね同様の効果を奏する。また、当該捕集装置１Ｃにおいても、上記第１実施形態と同様にして弁体２０Ｃの開閉がなされる。
【００４３】
図５（ｂ）は、第５実施形態に係る粉粒体材料の捕集装置１Ｄの一例を模式的に示す図である。
本実施形態に係る捕集装置１Ｄは、弁体２０Ｄの構成が上記各実施形態とは主に異なる。また、本実施形態では、上記各実施形態とは異なり、平板状とされたベース部１８Ｂの下方側に向く下面をシール受部１８ａとしている。また、上記第４実施形態と同様、このシール受部１８ａは、排出部１６Ａの下端面よりも上方側に位置する構成とされている。
【００４４】
弁体２０Ｄは、本実施形態では、受入凹所２１Ｄを区画する環状壁部２３Ｄの先端面をシール部２３ｃとした構成とされている。つまり、本実施形態では、上記各実施形態のように、環状壁部２３，２３Ａ〜２３Ｃの外周側にシール部２４ａ，２５ａを設けた構成に代えて、環状壁部２３Ｄ自体にシール部２３ｃを設けた構成としている。このような構成とすれば、排出部１６Ａの外周側のシール受部１８ａ及び弁体２０Ｄの構造の簡略化を図ることができる。また、受入凹所２１Ｄを区画する底壁部２２Ｄに対して略直交状に環状壁部２３Ｄを設けた構成としている。なお、このような態様に代えて、上記同様、環状壁部２３Ｄを種々の形状とされたものとしてもよい。
本実施形態に係る粉粒体材料の捕集装置１Ｄにおいても、上記した実施形態と概ね同様の効果を奏する。また、当該捕集装置１Ｄにおいても、上記第１実施形態と同様にして弁体２０Ｄの開閉がなされる。
【００４５】
なお、上記各実施形態において説明した互いに異なる構成を、適宜、必要に応じて変形し、組み替えて適用したり、組み合わせて適用したりするようにしてもよい。
また、上記各実施形態に係る捕集装置１，１Ａ〜１Ｄが備える各部材の具体的構成としては、上記した構成に限られず、その他、種々の変形が可能である。
【符号の説明】
【００４６】
１，１Ａ〜１Ｄ          粉粒体材料の捕集装置
１０                    捕集器本体
１２                    吸引口
１４                    導入口
１６，１６Ａ            排出部
１８ａ，１９ａ          シール受部
２０，２０Ａ〜２０Ｄ    弁体
２１，２１Ａ〜２１Ｄ    受入凹所
２３，２３Ａ〜２３Ｄ    環状壁部
２３ａ                  外周傾斜面（傾斜面）
２３ｂ                  内周傾斜面（傾斜面）
２３ｃ，２４ａ，２５ａ  シール部
２４，２４Ｂ            平板状部
２５                    環状シール壁部
２６                    保持アーム
２７                    アーム軸（支点）
２                      吸引源
４                      粉粒体材料
Ｇ１，Ｇ２              隙間
【図１】
2019210122.tif 000003
【図２】
2019210122.tif 000004
【図３】
2019210122.tif 000005
【図４】
2019210122.tif 000006
【図５】
2019210122.tif 000007